(57)【要約】【課題】複合発電システムを速やかに起動させ、かつ、安定運転をさせること。【解決手段】ＳＯＦＣ１０とＭＧＴ５０とを組み合わせた連携運転を行って発電する複合発電システム１の制御装置９０であって、複合発電システム１は、ＳＯＦＣ１０からＭＧＴ５０の燃焼器５２に排燃料ガスを供給する排燃料ガス供給ライン２７ｃと、排燃料ガス供給ライン２７ｃから分岐してＳＯＦＣ１０に排燃料ガスを流通させる再循環ライン２７ｂと、排燃料ガス供給ライン２７ｃの経路上に設けられる流量調整弁３０とを具備し、ＳＯＦＣ１０とＭＧＴ５０との連携運転状態に応じて、流量調整弁３０の開度に対するゲインを調整する。【選択図】図１
2015050106.tif 000002
【特許請求の範囲】
【請求項１】
燃料電池と内燃機関とを組み合わせた連携運転を行って発電する複合発電システムの制御装置であって、
前記複合発電システムは、
前記燃料電池から前記内燃機関の燃焼器に排燃料ガスを供給する排燃料ガス供給ラインと、
前記排燃料ガス供給ラインから分岐して前記燃料電池に前記排燃料ガスを流通させる再循環ラインと、
前記排燃料ガス供給ラインの経路上に設けられる流量調整弁と、を具備し、
前記燃料電池と前記内燃機関との連携運転状態に応じて、前記流量調整弁の開度に対するゲインを調整する複合発電システムの制御装置。
【請求項２】
前記再循環ラインを流通する前記排燃料ガスのガス密度及び前記排燃料ガスの流量に応じて前記流量調整弁の開度のゲインを調整する請求項１に記載の複合発電システムの制御装置。
【請求項３】
前記燃料電池と前記内燃機関との連携運転状態は、運転開始してから発電する前までの起動段階と、発電開始してから定格発電開始までの発電段階と、負荷が解列している停止段階との複数段階有し、各段階に応じた前記流量調整弁の開度のゲインを調整する請求項１に記載の複合発電システムの制御装置。
【請求項４】
前記起動段階の前記流量調整弁の開度に対するゲインは、前記発電段階の前記流量調整弁の開度に対するゲインより大きくされている請求項３に記載の複合発電システムの制御装置。
【請求項５】
電力負荷に応じて前記流量調整弁の開度のゲインを調整する請求項１から請求項４のいずれかに記載の複合発電システムの制御装置。
【請求項６】
前記燃料電池に供給される燃料ガスの供給量、または電力発電量に基づいて、ガス密度を推定する請求項１から請求項５のいずれかに記載の複合発電システムの制御装置。
【請求項７】
前記排燃料ガス供給ラインで検出される前記排燃料ガスの温度、及び前記再循環ラインで検出される圧力値のうち、少なくとも１つに基づいて、前記ガス密度を推定する請求項６に記載の複合発電システムの制御装置。
【請求項８】
請求項１から請求項７のいずれかに記載の制御装置を備えた複合発電システム。
【請求項９】
燃料電池と内燃機関とを組み合わせた連携運転を行って発電する複合発電システムの制御方法であって、
前記複合発電システムにおいて、前記燃料電池から前記内燃機関の燃焼器に排燃料ガスを供給する排燃料ガス供給ラインの経路上に設けられる流量調整弁の開度に対するゲインを、前記燃料電池と前記内燃機関との連携運転状態に応じて調整する複合発電システムの制御方法。
【発明の詳細な説明】
【技術分野】
【０００１】
本発明は、制御装置及び方法、それを備えた複合発電システムに関するものである。
【背景技術】
【０００２】
燃料電池は、電気化学反応による発電方式を利用した発電装置であり、優れた発電効率及び環境対応等の特性を有している。このうち、固体酸化物形燃料電池（Ｓｏｌｉｄ  Ｏｘｉｄｅ  Ｆｕｅｌ  Ｃｅｌｌ：以下「ＳＯＦＣ」と呼ぶ）は、電解質としてジルコニアセラミックスなどのセラミックスが用いられ、都市ガス、天然ガス、石油、メタノール、石炭ガス化ガスなどを燃料として運転される燃料電池である。このようなＳＯＦＣは、例えばマイクロガスタービン（以下、「ＭＧＴ」と呼ぶ）等の内燃機関と組み合わせて複合発電システムを構築することにより、発電効率の高い発電が可能とされている（下記特許文献１参照）。具体的には、ＳＯＦＣから排出される排燃料ガスを燃焼器で燃焼させ、燃焼ガスによってタービンを駆動し発電するものである。複合発電システムについては、下記に示すような従来技術が知られている。
【０００３】
下記特許文献２には、燃料電池発電プラントに設置され、燃料電池に空気を供給する空気供給装置において、供給空気の流量調節する燃焼用空気流量調整弁の制御量を変動させ、起動時における制御動作を安定させることが開示されている。
【先行技術文献】
【特許文献】
【０００４】
【特許文献１】特開２００９−２０５９３０号公報
【特許文献２】特開昭６４−７２４６６号公報
【発明の概要】
【発明が解決しようとする課題】
【０００５】
ところで、ＳＯＦＣから排出されＭＧＴ燃焼器に供給されずに再びＳＯＦＣに供給される排燃料ガスの流量は、ＳＯＦＣが起動から定格運転に至る過程において、例えば、少ない時で１００Ｎｍ３／ｈから多い時で５００Ｎｍ３／ｈ等の広範囲で変動する。従来、排燃料ガスの流量は、上記特許文献１の図１に示されるように、排燃料ガスの流通経路上に設けられる流量調整弁５５と圧力制御弁４５の開度制御によって調整されていた。流量調整弁は、同じ開度調整度見合いであっても、排燃料ガスの流量が少ない場合には調整後の流量変化は比較的小さくなり、排燃料ガスの流量が多い場合には比較的大きな流量変化となる。こうした場合、従来の複合発電システムにおいては、ＳＯＦＣの起動から定格運転に至る運転状態によって流量調整弁の開度調整に対する流量の変化量が変動すると、ＳＯＦＣに再循環される排燃料ガスに基づくセル内外の差圧が大きくなり、ＳＯＦＣの起動に時間がかかる、或いは、ＳＯＦＣに負担がかかるという問題があった。また、排燃料ガスの流通経路の圧力変動に伴い、圧力調整弁を設け、開度調整する必要があった。
【０００６】
本発明は、上記問題を解決するためになされたもので、複合発電システムを速やかに起動させ、かつ、安定運転をさせることができる制御装置及び方法、それを備えた複合発電システムを提供することを目的とする。
【課題を解決するための手段】
【０００７】
上記課題を解決するために、本発明は以下の手段を採用する。
本発明は、燃料電池と内燃機関とを組み合わせた連携運転を行って発電する複合発電システムの制御装置であって、前記複合発電システムは、前記燃料電池から前記内燃機関の燃焼器に排燃料ガスを供給する排燃料ガス供給ラインと、前記排燃料ガス供給ラインから分岐して前記燃料電池に前記排燃料ガスを流通させる再循環ラインと、前記排燃料ガス供給ラインの経路上に設けられる流量調整弁と、を具備し、前記燃料電池と前記内燃機関との連携運転状態に応じて、前記流量調整弁の開度に対するゲインを調整する複合発電システムの制御装置を提供する。
【０００８】
本発明によれば、燃料電池と内燃機関とを組み合わせた連携運転を行って発電する複合発電システムの制御装置であって、燃料電池から内燃機関の燃焼器に排燃料ガスを供給する排燃料ガス供給ラインの経路上に設けられる流量調整弁の開度のゲインが、燃料電池と内燃機関との連携運転状態に応じて調整される。
燃料電池が起動から定格運転に至る過程では、燃料電池で消費され内燃機関に供給される排燃料ガスの流量や成分が変化するため、排燃料ガスの圧力や流体密度に変動が生じると推定されるが、燃料電池へ再循環される排燃料ガスの流量が比較的少ない（例えば、ＳＯＦＣの起動）状態では開度に対するゲインを大きめにする（弁開度の調整量に対する流量の変化量を大きくする）等、複合発電システムの連携運転状態に応じて流量調整弁の開度のゲインが調整される。このように、圧力の変化を抑制することで、速やかに、かつ、自動的に複合発電システムの安定運転ができ、複合発電システムの運用性を向上できる。
【０００９】
上記複合発電システムの制御装置において、前記再循環ラインを流通する前記排燃料ガスのガス密度及び前記排燃料ガスの流量に応じて前記流量調整弁の開度のゲインを調整することが好ましい。
このように流量調整弁のゲインが制御されれば、再循環ラインを流通していると推定される排燃料ガスの流量とガス密度とに応じたフィードフォワード制御ができる。ここで、ガス密度とは、排燃料ガスのガス組成、温度、圧力によって求められる値である。
【００１０】
上記複合発電システムの制御装置において、前記燃料電池と前記内燃機関との連携運転状態は、運転開始してから発電する前までの起動段階と、発電開始してから定格発電開始までの発電段階と、負荷が解列している停止段階との複数段階有し、各段階に応じた前記流量調整弁の開度のゲインを調整することとしてもよい。
このように、連系運転状態の各段階に応じてゲインを設けるので、例えば、運転の途中に排燃料ガス流量が増減するような場合であっても、運転状態に応じてゲインを設定でき、複合発電システムの安定運転に寄与できる。
【００１１】
上記複合発電システムの制御装置において、前記起動段階の前記流量調整弁の開度に対するゲインは、前記発電段階の前記流量調整弁の開度に対するゲインより大きくされていることとしてもよい。
起動段階においては、排燃料ガス供給ラインに流通する排燃料ガスの流量は少なくなると推定されるが、（排燃料ガスの流量が多くなる）発電段階よりもゲインを大きくすることにより、流量を感度良く増減させることができる。
【００１２】
上記複合発電システムの制御装置において、電力負荷に応じて前記流量調整弁の開度のゲインを調整することとしてもよい。
関数等により電力負荷に基づいて排燃料ガスの流量が決定できるので、発電開始後であれば電力負荷をパラメータとしてゲイン調整できる。
【００１３】
上記複合発電システムの制御装置において、前記燃料電池に供給される燃料ガスの供給量、または電力発電量に基づいて、ガス密度を推定することとしてもよい。
その時の負荷指令において、およそのガス温度及び圧力が推定できるため、燃料ガスの供給量または電力発電量によって、ある程度の精度でゲインを決定できる。
【００１４】
上記複合発電システムの制御装置において、前記排燃料ガス供給ラインで検出される前記排燃料ガスの温度、及び前記再循環ラインで検出される圧力値のうち、少なくとも１つに基づいて、前記ガス密度を推定することとしてもよい。
燃料ガスの供給量または電力発電量に加えて、検出されたガス温度、圧力に基づいてゲインを決定することにより、より高い精度でゲインを決定できる。
【００１５】
本発明は、上記いずれかに記載の制御装置を備えた複合発電システムを提供する。
【００１６】
本発明は、燃料電池と内燃機関とを組み合わせた連携運転を行って発電する複合発電システムの制御方法であって、前記複合発電システムにおいて、前記燃料電池から前記内燃機関の燃焼器に排燃料ガスを供給する排燃料ガス供給ラインの経路上に設けられる流量調整弁の開度に対するゲインを、前記燃料電池と前記内燃機関との連携運転状態に応じて調整する複合発電システムの制御方法を提供する。
【発明の効果】
【００１７】
本発明によれば、複合発電システムを速やかに起動させ、かつ、安定運転をさせることができるという効果を奏する。
【図面の簡単な説明】
【００１８】
【図１】本発明の一実施形態に係る複合発電システムの概略構成図である。
【図２】（ａ）再循環流量と流量調整弁の開度に対するゲインとの関係の一例を示した図である。（ｂ）再循環流量とＳＯＦＣの発電室温度との関係の一例を示した図である。
【発明を実施するための形態】
【００１９】
以下に、本発明に係る制御装置及び方法、それを備えた複合発電システムの一実施形態について、図面を参照して説明する。
【００２０】
図１に示される複合発電システム（燃料電池及び内燃機関による複合発電システム）１は、高温型の燃料電池であるＳＯＦＣ１０と、内燃機関であるガスタービンやガスエンジンの一例としてマイクロガスタービン（以下、「ＭＧＴ」と呼ぶ）５０と制御装置９０とを備えており、ＳＯＦＣ１０とＭＧＴ５０とを組み合わせることにより、効率のよい発電を行うものである。
【００２１】
すなわち、都市ガス（天然ガス）等を改質した燃料ガス及び空気等の酸化性ガスの供給を受けて電解質を介した電気化学反応により発電するＳＯＦＣ１０に加えて、ＳＯＦＣ１０から発電後に排出される高温の排燃料や排出空気を燃焼器に導入して燃焼ガスによってＭＧＴ５０を運転し、ＭＧＴ５０の出力軸に連結された不図示の発電機を駆動して発電を行うものである。
さらに、ＭＧＴ５０から排出される高温の燃焼排ガスを排熱回収ボイラに導入すれば、発生した蒸気によって蒸気タービンを駆動することによる発電も組み合わせた複合発電システムの構築も可能である。
【００２２】
以下では、上述したＳＯＦＣ１０を採用した複合発電システム１について説明する。このＳＯＦＣ１０は、電解質としてジルコニアセラミックスなどのセラミックスを用い、都市ガス、天然ガス、石油、メタノール、石炭ガス化ガスなどを燃料として運転（発電）するものであり、イオン伝導率を高めるため、作動温度が約８００〜１０００℃程度と高く設定されている。
また、以下の説明では、燃料として都市ガスをＳＯＦＣ１０の外部または内部で改質して使用し、酸化性ガスとして空気を使用する場合について説明するが、この場合の空気は、ＭＧＴ５０から供給される圧縮空気となる。又は、別に空気圧縮機を設けて空気を供給することとしても良い。
【００２３】
図１に示されるように、ＭＧＴ５０は、圧縮機５１と、燃焼器５２と、タービン５３とを備えている。なお、図中の符号５４はフィルタ、５５は再生熱交換器である。
圧縮機５１は、フィルタ５４を介して導入した大気（空気）を圧縮するもので、この場合の駆動源はタービン５３となる。圧縮機５１で圧縮された圧縮空気は、燃焼用空気として燃焼器５２や、酸化性ガスとして再生熱交換器５５を介してＳＯＦＣ等へ供給される。
燃焼器５２は、圧縮空気の供給を受けて燃料の都市ガスを燃焼させ、高温高圧の燃焼排ガスを生成してタービン５３へ供給する。この燃焼器５２には、後述するＳＯＦＣ１０からの排燃料ガスを供給する排燃料ガス供給ライン２７ｃと、未使用の都市ガス（燃料ガス）を供給する燃料ガス供給系統４０とが接続されている。
【００２４】
タービン５３は、燃焼器５２からの燃焼排ガスのエネルギーにより回転して軸出力を発生し、この軸出力を利用して圧縮機５１及び図示しない発電機が駆動される。
タービン５３で仕事をした燃焼排ガスは、再生熱交換器５５で圧縮空気と熱交換させた後、煙突６０から大気へと放出される。
【００２５】
複合発電システム１は、ＳＯＦＣ１０及びＭＧＴ５０を組み合わせて発電を行うシステムであり、ＳＯＦＣ１０の燃料極へ燃料を供給する燃料供給系２０及び空気極へ酸化性ガスを供給する酸化性ガス供給系７０を備えている。燃料供給系２０は、都市ガス供給弁（開閉弁）２１を備えた都市ガス（燃料ガス）供給ライン２２を備えている。また、図１には、燃料供給系２０として、都市ガス供給ライン２２のみを記載しているが、燃料供給系２０からＳＯＦＣ１０に供給されるのは都市ガスに限られず、図示しないラインから供給される窒素や蒸気（水）等も含まれる。
【００２６】
図示の燃料ガス排出系２７は、ＳＯＦＣ１０に供給され発電に利用された排燃料ガスをＭＧＴ５０に送給、又はＳＯＦＣ１０に再循環させる流路である。この燃料ガス排出系２７は、排燃料ブロワ２９を有する排燃料ガスライン２７ａと、排燃料ガスライン２７ａを経由してＳＯＦＣ１０に排燃料ガスを再循環させる再循環ライン２７ｂと、排燃料ガスライン２７ａを経由してＭＧＴ５０と接続する排燃料ガス供給ライン２７ｃとにより構成されている。
【００２７】
燃料ガス排出系２７において、再循環ライン２７ｂは、ＳＯＦＣ１０の排燃料ガスを燃料供給系２０に戻す（再循環する）ための流路である。また、再循環ライン２７ｂには、排燃料ガスの再循環流量を検出する流量検出部４１が設けられており、検出した再循環流量の値は、後述する流量調整弁３０の開度のゲイン情報を生成する場合の値として用いられる。
排燃料ガス供給ライン２７ｃは、ＳＯＦＣ１０からＭＧＴ５０の燃焼器５２へ流量調整弁３０を介して排燃料ガスを供給する流路である。
なお、再循環ライン２７ｂには圧力センサー３５、排燃料ガスライン２７ａには温度センサー３６が設けられている。
【００２８】
図示の酸化性ガス供給系７０は、ＭＧＴ５０の圧縮機５１で圧縮され、再生熱交換器５５で熱交換した圧縮空気（酸化性ガス）をＳＯＦＣ１０の空気極へ供給する流路である。
また、酸化性ガス排出系７２は、ＳＯＦＣ１０に供給され発電に利用された排酸化性ガスをＭＧＴ５０に供給する流路であって、ＳＯＦＣ１０とＭＧＴ５０との間を連結する。
【００２９】
制御装置９０は、例えば、図示しないＣＰＵ（中央演算装置）、ＲＡＭ（Ｒａｎｄｏｍ  Ａｃｃｅｓｓ  Ｍｅｍｏｒｙ）、及びコンピュータ読み取り可能な記録媒体等から構成されている。後述の各種機能を実現するための一連の処理の過程は、プログラムの形式で記録媒体等に記録されており、このプログラムをＣＰＵがＲＡＭ等に読み出して、情報の加工・演算処理を実行することにより、後述の各種機能が実現される。
【００３０】
制御装置９０は、ＳＯＦＣ１０とＭＧＴ５０との連携運転状態に応じて、流量調整弁３０の開度に対するゲインを調整する。具体的には、制御装置９０は、再循環ライン２７ｂに流通する排燃料ガスの流量（再循環流量）及びガス密度と、流量調整弁３０の開度に与えるゲインとを対応付けた「ゲイン情報」を有しており、連携運転状態に応じて再循環ライン２７ｂに流れると推定される再循環流量及びガス密度に対応付けられたゲインによって流量調整弁３０を先行的に（フィードフォワード）制御する。ここで、ガス密度とは、排燃料ガスのガス組成、温度、圧力によって求められる値である。
【００３１】
図２（ａ）には、ゲイン情報の一例が示されており、横軸には再循環ライン２７ｂを流通する再循環流量を示し、縦軸には再循環流量に基づいて決定される流量調整弁３０の開度に与えられるゲインの一例を示している。
【００３２】
図２（ａ）の横軸の左端は、ＳＯＦＣ１０が起動開始時に再循環ライン２７ｂに流通する排燃料ガスの再循環流量であり（例えば、１００Ｎｍ３／ｈ）、横軸の右端方向は、ＳＯＦＣ１０の定格運転後の再循環ライン２７ｂに流通する排燃料ガスの再循環流量を示している（例えば、５００Ｎｍ３／ｈ）。本実施形態においては、ＳＯＦＣ１０が起動から定格運転になるまでの過程において、再循環ライン２７ｂに流通する排燃料ガスの再循環流量が、次第に増大する場合を例に挙げて説明する。ここで、ＳＯＦＣ１０とＭＧＴ５０との連携運転状態は、運転開始してから発電する前までの起動段階（例えば、窒素遮断弁開、８００℃未満）と、発電開始してから定格発電開始までの発電段階（例えば、８００℃以上９５０℃（定格）以下）と、負荷が解列している停止段階（例えば、負荷が解列していること（８５０℃未満））との複数段階有することとして説明する。
【００３３】
また、図２（ａ）においては、排燃料ガスのガス密度が併せて示されており、ＳＯＦＣ１０が起動段階におけるガス組成は主に窒素Ｎ２であり、運転が進み発電室温度が上昇するにつれて改質してガス組成が変化して、液化天然ガスＬＮＧ（Ｌｉｑｕｅｆｉｅｄ  Ｎａｔｕｒａｌ  Ｇａｓ）と水Ｈ２０となり、定格運転近傍では二酸化炭素ＣＯ２と水Ｈ２Ｏと水素Ｈ２と一酸化炭素ＣＯを含む様子が示されている。
【００３４】
なお、ガス密度は、ＳＯＦＣ１０に供給される燃料ガスの供給量、または電力発電量に基づいて推定することとしてもよい。その時の負荷指令において、およそのガス温度及び圧力が推定できるため、燃料ガスの供給量または電力発電量のみでも、ある程度の精度でゲインを決定することができる。
さらに、排燃料ガス供給ライン２７ｃで検出される排燃料ガスの温度、及び再循環ライン２７ｂで検出される圧力値のうち、少なくとも１つに基づいてガス密度を推定してもよい。燃料ガスの供給量または電力発電量に加えて、検出されたガス温度、圧力に基づいてゲインを決定することにより、より精度高くゲインを決定できる。
【００３５】
また、図２（ａ）に示されるガス密度は、最も割合の高い成分を表記しており、グラフ中の点線の前後では徐々に成分のバランスが変化することを意味しており、急激に組成が変わるという意味でない。
【００３６】
また、図２（ｂ）は、横軸に再循環ライン２７ｂを流通する排燃料ガスの再循環流量を示し、縦軸にはＳＯＦＣ１０の発電室温度を示した図の一例であり、図２（ａ）と対応付けられている。縦軸の発電室温度が０℃から約８００℃においては、ＳＯＦＣ１０の起動から発電開始前の解列時（ＳＯＦＣ１０が発電していない状態）を示しており、縦軸の８００℃から１０００℃はＳＯＦＣ１０が発電を行う併入時（ＳＯＦＣ１０が発電している状態）を示している。
【００３７】
本実施形態の図２（ａ）に示されるように、連携運転状態の進行に応じて、再循環流量が増大する場合においては、起動段階（解列時）における流量調整弁３０の開度に対するゲインは、発電段階における流量調整弁３０の開度に対するゲインより大きく設定されることが好ましい。つまり、排燃料ガスの流量が少ない場合には、流量調整弁３０の感度（弁開度の調整量に対する流量の変化量）をよくすることが好ましい。
なお、本実施形態で用いるゲイン情報は、過去の実績等に基づいて算出され、制御装置９０の記憶手段等に格納させておく情報であり、ＳＯＦＣ１０とＭＧＴ５０との連携運転中に随時読み出されてフィードフォワード（先行的）制御に用いられる。そのため、流量調整弁３０の感度は、起動段階から発電段階を経て、定格運転に至る過程において、排燃料ガスのガス密度に応じてフィードフォワード制御することも可能である。
【００３８】
なお、発電段階におけるゲインの設定方法は上記に限定されない。
例えば、発電後の負荷電力は再循環流量の関数で求められる点に着目し、制御装置９０は、負荷電力に基づいて再循環流量を算出する関係式を備えておき、負荷電力に応じて流量調整弁３０の開度のゲインを決定できるゲイン情報を有し、負荷電力に応じて流量調整弁３０の開度のゲインを調整することとしてもよい。
また、図２（ａ）で示されるゲインは、再循環流量に応じて直線的に変化している場合を例に挙げて説明しているが、これに限定されず、例えば、再循環流量に応じてステップ状（段階的）に変化するゲインを設定することとしてもよい。
【００３９】
次に、本実施形態に係る複合発電システム１の作用について図１及び図２（ａ）（ｂ）を用いて説明する。
複合発電システム１のＳＯＦＣ１０とＭＧＴ５０との連携運転（コンバインド運転）において、燃料である都市ガスはＳＯＦＣ１０に投入され，燃料の化学エネルギーがＳＯＦＣ１０で直接電力に変換される。その後、ＳＯＦＣ１０からの排燃料ガスはＭＧＴ５０の燃焼器５２に供給される。一方、フィルタ５４を介して導入した（空気）はＭＧＴ５０の圧縮機５１で昇圧された後にＳＯＦＣ１０に供給され、酸化剤（酸化性ガス）として一部が使用された後、高温排熱とともに再びＭＧＴ５０に送られ、空気の持つ顕熱や圧力もエネルギーとして下流のＭＧＴ５０側で電力に変換されることにより、システム全体では高い発電効率を得ることが可能となる。
【００４０】
制御装置９０には、複合発電システム１が起動から連携運転状態になるまでに計測され収集された各種情報に基づいて、再循環ライン２７ｂの再循環流量と流量調整弁３０の開度のゲインとが対応付けられたゲイン情報が記憶手段等に記憶されている。
複合発電システム１のＳＯＦＣ１０が起動する段階において、制御装置９０からゲイン情報が読み出され、現在、再循環ライン２７ｂに流れていると推定される再循環流量に対応するゲインが読み出される。流量調整弁３０の開度に対応して読み出されたゲインが適用され、流量調整弁３０の開度がフィードフォワード制御によって調整される（例えば、起動段階（解列時）における再循環流量が少ない場合には、弁開度調整に応じて流量を敏感に変動させるべくゲインは大きめに設定される）。
【００４１】
ＳＯＦＣ１０の発電が開始されると、発電開始後において再循環ライン２７ｂに流れていると推定される排燃料ガスの再循環流量に対するゲインが読み出され、流量調整弁３０の開度に対して読み出されたゲインが適用され、流量調整弁３０の開度が調整される（例えば、再循環流量が多い場合には、開度調整に応じて流量変動を抑えるようにゲインは小さめに設定される）。
【００４２】
以上説明してきたように、本実施形態に係る制御装置９０及び方法、それを備えた複合発電システム１によれば、ＳＯＦＣ１０が起動から定格運転に至る過程では、ＳＯＦＣ１０で消費されＭＧＴ５０に供給される排燃料ガスの流量や成分が変化するため、排燃料ガスの圧力や流体密度に変動が生じると推定されるが、排燃料ガスの流量が比較的少ない（例えば、ＳＯＦＣの起動）状態では開度に対するゲインを大きめにする（つまり、開度の調整に応じて敏感に流量変化させる）等、複合発電システム１の連携運転状態に応じて流量調整弁３０の開度のゲインが調整される。これにより、圧力の変化を抑制し、速やかに、かつ、自動的に複合発電システム１の安定運転ができ、複合発電システム１の運用性を向上できる。
【００４３】
〔変形例〕
なお、本実施形態においては、ＳＯＦＣ１０が起動から定格に至る過程において、再循環流量が順に増加する場合を例に挙げて説明していたが、これに限られない。例えば、ＳＯＦＣ１０が起動から定格に至る過程において、再循環流量が増減することがあってもよいこととする、そのような場合には、ＳＯＦＣ１０とＭＧＴ５０との連携運転状態の起動段階、発電段階、停止段階の各段階に応じて、流量調整弁３０の開度のゲインを調整するためのそれぞれのゲイン情報を制御装置９０に設け、このゲイン情報に基づいて各段階に応じた流量調整弁３０の開度のゲイン調整をすることとしてもよい。
【００４４】
なお、本発明は上述した実施形態に限定されることはなく、その要旨を逸脱しない範囲内において適宜変更することができる。
【符号の説明】
【００４５】
１    複合発電システム（燃料電池・ガスタービン発電システム）
１０    ＳＯＦＣ（固体酸化物形燃料電池）
２０    燃料供給系
２１    都市ガス供給弁（開閉弁）
２２    都市ガス（燃料ガス）供給ライン
２７    燃料ガス排出系
２７ａ    排燃料ガスライン
２７ｂ    再循環ライン
２７ｃ    排燃料ガス供給ライン
２９    排燃料ブロワ
３０    流量調整弁
３５    圧力センサー
３６    温度センサー
４０    燃料ガス供給系統
５０    ＭＧＴ（マイクロガスタービン）
５１    圧縮機
５２    燃焼器
５３    タービン
６０    煙突
７０    酸化性ガス供給系
７２    酸化性ガス排出系
９０    制御装置
【図１】
2015050106.tif 000003
【図２】
2015050106.tif 000004